(57)【特許請求の範囲】
【請求項１】
楽器胴体と；前記胴体上に取り付けられた共鳴装置と；前記胴体に接続された複数の弦と；前記弦を弾くことにより前記弦を動かし、前記共鳴装置を振動させる演奏者に応答して電気信号の各々を発生する二つの発生手段と；前記胴体に接続され、電気信号が前記楽器から出力される二チャンネルを提供するための出力手段と；前記出力手段に接続されて、選択的に、（１）モノラル出力を発生するために、前記二つの発生手段からの電気信号を前記出力手段の前記チャンネルの一方を介して混合し出力するか、または（２）ステレオ出力を発生させるため、前記発生手段の一方からの電気信号を前記出力手段のチャンネルの一方から出力し、前記発生手段の他方からの電気信号を前記出力手段の前記チャンネルの他方から出力する手段からなり、前記二つの発生手段が前記弦に応答するピックアップと、前記共鳴装置に応答する変換器を有することを特徴とする電気モノラル／ステレオ弦共鳴器付楽器。
【請求項２】
前記出力手段が二つのチャンネル出力ジャックを有することを特徴とする請求項１記載の電気モノラル／ステレオ弦共鳴器付楽器。
【請求項３】
前記選択的に出力する手段が前記二つの発生手段と前記出力ジャックに接続された機械的スイッチを有することを特徴とする請求項２記載の電気モノラル／ステレオ弦共鳴器付楽器。
【請求項４】
前記機械的スイッチが音量制御回路の各々を介して前記二つの発生手段に接続されることを特徴とする請求項３記載の電気モノラル／ステレオ弦共鳴器付楽器。
【請求項５】
前記二つの発生手段の一方に接続された第一の音量制御回路と、前記二つの発生手段の他方に接続された第二の音量制御回路をさらに有することを特徴とする請求項１記載の電気モノラル／ステレオ弦共鳴器付楽器。
【請求項６】
前記第二音量制御回路手段と、前記出力手段の前記チャンネルの一方と間に接続された第三音量制御回路とさらに有することを特徴とする請求項５記載の電気モノラル／ステレオ弦共鳴器付楽器。
【請求項７】
ギター胴体と；前記ギター胴体上に取り付けられた共鳴装置と；前記ギター胴体に接続された複数の弦と；前記ギター胴体に接続されて、前記弦の動きに応答する電磁気ピックアップと；前記共鳴装置に接続された変換器と；前記ピックアップに接続された第一音量制御回路と；前記変換器に接続された第二音量制御回路と；二つの出力チャンネルに電気信号を提供する出力コネクタと；少なくとも二つのスイッチ状態を持つスイッチとを有し、前記スイッチは前記第一および前記第二音量制御回路に接続されて、（１）一方のスイッチ状態では、前記第一および第二音量制御回路が前記出力コネクタの同一出力チャンネルに接続されて、前記ピックアップと前記変換器から出力された信号を混合して得られたモノラル出力を提供し、さらに（２）他方のスイッチ状態では、前記第一音量制御回路が前記出力コネクタの前記二つの出力チャンネルの一方に接続され、前記第二音量制御回路が前記出力コネクタの前記二つの出力チャンネルの他方に接続されて、前記ピックアップと前記変換器からの別々の信号からなるステレオ出力を提供し、前記モノラル出力信号と前記ステレオ出力の分離信号の混合が前記第一と第二音量制御回路で制御可能であることを特徴とする電気モノラル／ステレオ弦共鳴器付ギター。
【請求項８】
前記スイッチが前記第一音量制御回路に接続された極と、前記第二音量制御回路と前記出力コネクタの二つの出力チャンネルの他方に接続された第一端子と、前記出力コネクタの前記二つの出力チャンネルの一方に接続された第二端子と、前記極を前記第一端子または第二端子に選択的に接続する手段とを有することを特徴とする請求項７記載の電気モノラル／ステレオ弦共鳴器付ギター。
【請求項９】
前記スイッチが前記第一音量制御回路に接続された一方の極と前記第一音量制御回路の電気接地接続部に接続された他方の極からなる一対の極と；前記第二音量制御回路に接続され、前記出力コネクタの二つの出力チャンネルの他方に接続された一方の端子と、前記第二音量制御回路の電気接地接続部に接続された他方の端子からなる第一の端子対と；前記出力コネクタの二つの出力チャンネルの一方に接続された一方の端子と、前記電気接地に接続された他方の端子からなる第二の端子対と；前記極の対を前記第一と第二の端子対の一方に選択的に接続する手段とからなることを特徴とする請求項７記載の電気モノラル／ステレオ弦共鳴器付ギター。
【請求項１０】
前記第二音量制御回路と前記第一対の端子の一方を前記出力コネクタの前記二つの出力チャンネルの他方に接続する主音量制御回路をさらに有することを特徴とする請求項９記載の電気モノラル／ステレオ弦共鳴器付ギター。
【発明の詳細な説明】
【０００１】
【発明の属する技術分野】
本発明は単一チャンネルの混合モノラル出力または二チャンネルのステレオ出力を提供する電気ピックアップ装置を有する、共鳴器付ギターのような電気弦共鳴器付楽器に関する。本発明は一般に弦共鳴器付楽器に関するが、限定することなく、共鳴器付ギターに特定して述べられる。
【０００２】
【従来技術】
通常の共鳴器付ギターはギターの胴体に取り付けられた共鳴装置を有するアコースティク（電気的に増幅しない）楽器である。共鳴装置は演奏者がギターの弦を弾くと発生する楽音を機械的に増幅する。さらに、この共鳴装置は得られた楽音に特有の音色特性を加える。
【０００３】
共鳴装置の良く知られた一形態はドブロ（DOBRO（登録商標））型共鳴装置と呼ばれる。この型の共鳴装置はギターの胴体の空洞部に金属振動板を備えている。クモ状部と呼ばれる構造体はギターの駒が取り付けられた駒鞍部スロットの付いた中央ハブを持っている。クモ状部はハブから外方に延びる放射状の脚部を持っている。このクモ状脚部の外端部が振動板の外周部と結合して、振動が駒からクモ状部を介して振動板に伝達される。クモ状部の中央部と振動板を貫通するネジが両者を接続する。溝付きの金属カバーは振動板を覆って、ギターの胴体につながる。
【０００４】
共鳴装置の良く知られた別の形態はここではナショナル型共鳴装置と呼ばれる。この型の共鳴装置には駒台が乗る中央ピーク部を有する振動板がある。特有の取付け方では、駒台はギターの駒が接続される（木製の構造体の一体化した部品のような）円形の木製の”ビスケット”を有する。このナショナル(NATIONAL)型共鳴装置はさらにギターの胴体内の振動盤直下に位置するリングおよびギターの首部から伸びる首部スティックを含む支持構造体を備える。これを実行すると、振動板はギターの胴体と首部スティックに取り付けられた支持リングに取り付けられる。
【０００５】
【発明を解決しようとする課題】
多くの型の楽器において、共鳴器付ギターから発生する音を電気的に増幅したいことがある。弾かれると弦から生ずる音色相および共鳴装置から生ずる音色相があるので、共鳴器付ギターの両音色相を電気的に増幅すること、および両音色相にモノラルまたはステレオ再生のために選択的に提供することが望まれる。このように、二つの音色相に応答し、かつモノラル音を発生するために混合され選択可能に混合された信号またはステレオ音を発生するために分離信号を出力するように制御できる電気ピックアップ装置を有する共鳴器付ギター（より一般的には弦共鳴器付楽器）に対して需要がある。
【０００６】
本発明は新規で、改良された電気モノラル／ステレオ弦共鳴器付楽器を提供することにより後述する要求に応えるものである。本発明の利点は弦と共鳴器から発生する楽音／音色に応答するもので、かつ電子的に増幅を可能にすることである。別の利点は混合または分離した電気信号出力を考慮してモノラルまたはステレオ音を発生することである。弦および共鳴器から出力される信号の各々は混合したモノラル出力に所望の混合を与え、またはステレオ出力に分離制御された信号を与えるために調整可能である。
【０００７】
本発明は従来技術の上述の問題を克服するものである。本発明の一般的な目的は新規で改良された電気モノラル／ステレオ弦共鳴器付楽器を提供することである。
【０００８】
【課題を解決するための手段】
本発明によれば、電気モノラル／ステレオ弦共鳴器付楽器が楽器胴体；前記胴体上に取り付けられた共鳴装置と；前記胴体に接続された複数の弦と；前記弦を弾くことにより前記弦を動かし、前記共鳴装置を振動させる演奏者に応答して電気信号の各々を発生する二つの発生手段と；前記胴体に接続され、電気信号が前記楽器から出力される二チャンネルを提供するための出力手段と；前記出力手段に接続されて、選択的に、（１）モノラル出力を発生するために、前記二つの発生手段からの電気信号を前記出力手段の前記チャンネルの一方を介して混合し出力するか、または（２）ステレオ出力を発生させるため、前記発生手段の一方からの電気信号を前記出力手段のチャンネルの一方から出力し、前記発生手段の他方からの電気信号を前記出力手段の前記チャンネルの他方から出力する手段からなることを特徴とする。
【０００９】
前記二つの発生手段が前記弦に応答するピックアップと、前記共鳴装置に応答する変換器を有することを特徴とする。
【００１０】
前記出力手段が二つのチャンネル出力ジャックを有することを特徴とする。
【００１１】
前記選択的に出力する手段が前記二つの発生手段と前記出力ジャックに接続された機械的スイッチを有することを特徴とする。
【００１２】
前記機械的スイッチが音量制御回路の各々を介して前記二つの発生手段に接続されることを特徴とする。
【００１３】
前記二つの発生手段の一方に接続された第一の音量制御回路と、前記二つの発生手段の他方に接続された第二の音量制御回路をさらに有することを特徴とする。
【００１４】
電気モノラル／ステレオ弦共鳴器付楽器がさらに前記第二音量制御回路手段と、前記出力手段の前記チャンネルの一方と間に接続された第三音量制御回路とさらに有することを特徴とする。
【００１５】
本発明によれば、電気モノラル／ステレオ弦共鳴器付ギターがギター胴体と；前記ギター胴体上に取り付けられた共鳴装置と；前記ギター胴体に接続された複数の弦と；前記ギター胴体に接続されて、前記弦の動きに応答する電磁気ピックアップと；前記共鳴装置に接続された変換器と；前記ピックアップに接続された第一音量制御回路と；前記変換器に接続された第二音量制御回路と；二つの出力チャンネルに電気信号を提供する出力コネクタと；少なくとも二つのスイッチ状態を持つスイッチとを有し、前記スイッチは前記第一および前記第二音量制御回路に回路に接続されて、（１）一方のスイッチ状態では、前記第一および第二音量制御回路が前記出力コネクタの同一出力チャンネルに接続されて、前記ピックアップと前記変換器から出力された信号を制御可能に混合して得られたモノラル出力を提供し、さらに（２）他方のスイッチ状態では、前記第一音量制御回路が前記出力コネクタの前記二つの出力チャンネルの一方に接続され、前記第二音量制御回路が前記出力コネクタの前記二つの出力チャンネルの他方に接続されて、前記ピックアップと前記変換器からの別々に制御可能な信号からなるステレオ出力を提供し、前記モノラル出力信号と前記ステレオ出力の分離信号の混合が前記第一と第二音量制御回路で制御可能であることを特徴とする。
【００１６】
前記スイッチが前記第一音量制御回路に接続された極と、前記第二音量制御回路と前記出力コネクタの二つの出力チャンネルの他方に接続された第一端子と、前記出力コネクタの前記二つの出力チャンネルの一方に接続された第二端子と、前記極を前記第一端子または第二端子に選択的に接続する手段とを有することを特徴とする。
【００１７】
前記スイッチが前記第一音量制御回路に接続された一方の極と前記第一の音量制御回路の電気接地接続部に接続された他方の極からなる一対の極と；前記第二音量制御回路に接続され、前記出力コネクタの二つの出力チャンネルの他方に接続された一方の端子と、前記第二音量回路の電気接地接続部に接続された他方の端子からなる第一の端子対と；前記出力コネクタの二つの出力チャンネルの他方に接続された一方の端子と、前記出力コネクタの二つの出力チャンネルの一方に接続された一方の端子と、前記電気接地に接続された他方の端子からなる第二の端子対と；前記極の対を前記第一と第二の端子対の一方に選択的に接続する手段とからなることを特徴とする。
【００１８】
電気モノラル／ステレオ弦共鳴器付ギターがさらに前記第二音量制御回路と前記第一対の端子の一方を前記出力コネクタの前記二つの出力チャンネルの他方に接続する主音量制御回路をさらに有することを特徴とする。
【００１９】
【作用】
本発明による電気モノラル／ステレオ弦共鳴器付楽器は楽器胴体と、この胴体に取り付けられた共鳴装置と、胴体に接続された複数の弦からなる。この楽器はさらに弦を弾いて、弦を動かし、かつ共鳴装置を振動させる演奏者に応答して各電気信号を発生させる二つの発生手段を含む。さらに、この楽器はさらに本体に接続され、電気信号が楽器から出力される二つのチャンネルを提供する出力手段を含んでいる。出力手段に接続されるものは、（１）二つの発生手段から出力される電気信号が出力手段の一方のチャンネルを介して混合され出力されるか、または（２）ステレオ出力を発生するために、一方の発生手段から出力される電気信号が出力手段の一方のチャンネルから出力され、かつ他方の発生手段から出力される電気信号が出力手段の他方のチャンネルから出力されるかを選択的に可能にする手段である。
【００２０】
したがって、以上の構成から、本発明の全般的な目的は新規で改良された電気モノラル／ステレオ弦共鳴器付楽器を提供することにある。添付された図面と関連して、本発明の好ましい実施例についての以下の記載を通読することにより、他の目的、特徴、利点はこの技術の当業者にとって容易に明らかになるであろう。
【００２１】
【実施例】
本発明にしたがって構成された電気モノラル／ステレオ共鳴器付ギター２が図１に示される。共鳴器付バスギターが具体的に例示されているが、本発明はどのような弦共鳴器付楽器にも適用可能である。
【００２２】
このギター２はフレット付きの首部６が接続される胴体４を持っている。弦８は調律ネジ１２と緒止板１４の間にある支持駒１０（たとえば、図２および図３）を交差して張られている。調律ネジ１２は首部６に接続され、緒止板１４は胴体４に接続される。これらの部品と構成は共鳴器付きギターにとって常套的である。
【００２３】
胴体４はアコースティック型またはソリッド型であり、共鳴器付きギターでは通常の方法で、少なくとも共鳴装置１６を受けるのに十分なサイズの空洞を有する。この共鳴装置１６には図１に示されるように金属（例えば、クロムメッキされた黄銅）カバー１８がある。
【００２４】
このカバー１８のほかに、通常の共鳴装置１６は金属振動板と駒台を含んでいる。ここでは、”駒台”は駒１０および振動板に接続され、駒１０を介して伝わる弦の振動を振動板に導く共鳴装置構造体のために使用される術語である。この共鳴装置はさらに支持構造体を有する。ドブロ（DOBRO）（登録商標）型共鳴装置と呼ばれる共鳴装置１６の特有な一実施例が図３に示される。
【００２５】
図２を参照して、図１に示される金属カバー１８のほかに、ドブロ型共鳴装置は金属振動板２３と、この振動板２２に接続されたクモ状部２４と、このクモ状部２４状に形成される駒鞍部スロット２６を有する。これらの構成要件は共鳴器付きギターの通常の設計により形成される。アルミのような適当な金属からなる振動板２２は円形であり、さらに傾斜する壁部３０が下方に延長しその後上方に延長して、中央円錐部３２を形成する外部支持周辺部２８を持っている。アルミのような適当な金属からなるクモ状部２４は複数の脚部３６が放射状に伸びる中央ハブ３４を持っている。脚部３６の外端は振動板２２の外部周辺部２８に載り、第２図に示すようにハブ３４を円錐部３２の頂点に直接位置決めされる。駒鞍部スロット２６はクモ状部２４のハブ３４と一体に形成される。既知の方法で、軸方向に配置されたボルトとナット（図示せず）が一般的にこれらの部品を保持する。
【００２６】
変換器３８も図２に示される。この信号発生手段は駒１０直下の駒鞍部スロット２６内に配置される。変換器１８の好ましい実施例はフィシュマン（Fishman)または  L.R.バッグス(Baggs)銘柄のものである。この銘柄品は忠実音再生特性を有するので好ましい。
【００２７】
二本のワイヤケーブル４０は変換器３８の本体から延長する。ケーブル４０は振動板２２に切り込まれた穴４２を介して延長する。代案として、好ましくは、このケーブルはクモ状部２４の脚部３６に沿って、かつ振動板２２の周辺部を超えて、かつギター２の胴体４に切り込まれた穴を介して下方に延長できる。
【００２８】
図３において、ナショナル(NATIONAL)型共鳴装置は駒１０が取り付けられる振動板４４を有する。この取り付けは駒１０が一体に形成される円形の木製の”ビスケット”４６により行う。ネジ４８は”ビスケット駒”を円錐状の振動板４４の頂上に確実に取り付ける。この振動板４４はアルミのような金属からできている。
【００２９】
図３の実施例において、変換器は位置５０で、粘着性の詰め物により行う様に、ビスケット駒台４６に接続される。この変換はビスケット駒台４６上にあるように示されるが、台４６の下面にも配置できる。これら位置に取り付けられる変換器はマクインタイヤ(McIntyre)ギター会社で得られる型の物が好ましい。
【００３０】
上記の共鳴器反応型変換器は本発明の別の一部を形成する。この変換器は弦８を演奏する演奏者に応答して共鳴装置１６により発生する音の少なくとも一部を表わす電気信号を発生する手段の一形態を提供する。発生した電気信号は電気増幅するためのもので、共鳴器付ギター２で機械的に創られ増幅された音はスピーカを介して電気的に放出または電気的に処理される。
【００３１】
この信号発生手段の好ましい実施例は共鳴装置により発生したアコースティック信号（音）を受信し、受信した信号をアナログ電気信号に変換する電気音響変換器である。一つの型の電気音響変換器はマイクロフォンであり、具体例としてシュア(Shure)SM98や"カントリーマン・ハイパーカーディオド(COUNTRYMAN HYPERCARDIOD)"モデルである。これらの好適なマイクロホンは共鳴装置の範囲内の狭い空間に小型にかつ容易に取り付けられるので、共鳴器付ギターとともに使用されてきた他の型のマイクロフォンと区別される。
【００３２】
信号発生手段の他の好ましい実施例は共鳴装置からの振動を受けて、受信した振動をアナログ電気信号に変換する電気機械変換器である。ある型の電気機械変換器はピエゾ電気ピックアップであり、具体例としては、フィッシュマン変換器アンドL.R.バッグズ（Fishman Transducers and L.R Baggs)により製造されたものである。限定しない例での他の適当な変換器として、マクインタイヤ(McIntyre)ギター社により製造されたフラットトップ型ギター変換器および"シャドウ(SHADOW)"ブランド変換器がある。
【００３３】
図１は共鳴装置応答変換器が共鳴装置１６の金属カバー１８の内部表面に直接接続される位置を例示している。この位置は参照番号２０で示される。この位置は弦が駒から緒止板に渡る弦の直下であり、より多くの弦の音量が捕捉される。内包された変換器はカバー８の表面に取り付け可能である。もしマイクロフォンを使用すると、変換器をカバー１８の内表面に取り付けられた取り付け板を介して直接接続することができる。装置の利得および音色再生が改善されるので、マクインタイヤ（McIntyre）型変換器をカバー１８に直接接続することが好まれる。
【００３４】
共鳴装置の特有な実施にもかかわらず、本発明の変換器は共鳴装置１６のいずれの場所にも直接接続することができる（具体例が図２および図３を参照して示される）。ほとんどの好ましい例では、変換器はドブロ（DOBRO)（登録商標）型共鳴装置のクモ状部の後脚部の結合部の下部、またはナショナル（NATIONAL）型共鳴装置のビスケットの下部に接続される。しかしながら、これらの取り付け位置も例示された他の位置も本発明のより広い態様を限定するものではない。あらゆる便宜のために参照としてここに掲載された、１９９５年５月３１日出願の米国特許出願第０８／４５５、５６８号に限定されていない他の例が示されている。
【００３５】
本発明はさらにギター２の演奏に応答して電気信号を発生する別の手段を含んでおり、この発生手段は一本またはそれ以上の弦８の動きに直接反応する。これは一本または複数のワイヤのコイルが巻かれた一個または複数の磁石または磁化された磁極片を含む通常の構造体を有する通常の電磁ピックアップにより好ましく実施される。このようなピックアップの限定されない例としてレース（Lace）ブランドの電磁単一型コイルまたはスタック型ハムバッキング（humbucking）ピックアップがある。このようなピックアップの好ましい位置２１が図１に示される。この場所は弦８の直下であり、弦８はピックアップの磁界を横断している。この技術では良く知られているように、このピックアップは磁界中での弦８の動きに応答して電気信号を発生する。
【００３６】
上記の弦応答ピックアップと共鳴器応答変換器は図４および図５でそれぞれ参照番号１００および１０２により示される。これらの構成要件は本発明の電気ピックアップ装置の一部であり、ピックアップ装置の一実施例が図４に示される。ピックアップ１００と変換器１０２は、一本または複数の弦８を演奏し、それにより弦を動かし、変換装置を振動させる演奏者に応答して、個別の電気信号を発生する二つの手段を形成する。
【００３７】
図４に示されるピックアップ装置はさらに電気信号がギター２から出力される二つのチャンネルを提供する出力手段を含んでいる。この出力コネクタは、既知の方法でギターを前置増幅器または増幅器に接続する通常のケーブルに使用され、プラグの先端とつながる一端子とプラグのスリーブに接続する別の端子を有するジャックのような出力コネクタ１０４により典型的に実施される。図４の実施例のジャック１０４は示されるように接地端子を持っている。
【００３８】
本発明のピックアップ装置の別の部分を形成するのはピックアップ１００と変換器１０２からの出力を選択的に供給する手段である。ピックアップ１００と変換器１０２からの出力はモノラル信号として一つの出力チャンネルを介して制御可能に混合して出力されるか、またはステレオ出力を提供するために各出力チャンネルを介して個別的に出力される。図４の実施例において、この供給手段は電気的または機械的に実施可能なスイッチ１０６を含む。この機械的な実施形態は図４に例示され、極１０８と端子１１０、１１２を含む。この実施形態では二つの切り替え状態を持つ単極双投スイッチを形成する。極１０８はピックアップ１００に接続される。端子１１０は変換器１０２と出力コネクタ１０４の出力チャンネルの一方に接続される。端子１１２は出力コネクタ１０４の他方の出力チャンネルに接続される。スイッチ素子１１４は極１０８を端子１１０または１１２に選択的に接続する手段を提供する。
【００３９】
極１０８のピックアップ１００への接続はピックアップリード間に接続される固定端部と容量１２０と極１０８に接続される接触子を有する分圧器を有する音量制御回路１１６を介して行われる。容量１２０の他方の端部は分圧器１１８の一端とピックアップ１００の”ホット（信号が来ている）”リードに接続される。分圧器１１８の他方の端部とピックアップ１００の他方のリードは図４に示されるようにコネクタ１０４で電気的に接地される。
【００４０】
図４に示されるピックアップ１００に接続された回路１１６と同様な方法で、端子１１０は変換器１０２に接続された分圧器１２４と容量１２６からなる音量制御回路１２２を介して変換器１０２に接続される。
【００４１】
具体的な実施例において、分圧器１１８、１２４は２５０キロオームであり、容量１２０、１２６は0.001マイクロファラッドである。
【００４２】
音量制御回路１１６、１２２によるチャンネル音量制御では、ピックアップ１００と変換器１０２からの個別の信号がモノラルモードで選択可能な方法で混合され、さらにステレオモードで個別のチャンネル制御を提供することが望ましい。すなわち、分圧器１１８はギター演奏者により既知の方法で分圧器１１８に取り付けられかつギター本体に取り付けられた制御つまみで操作することができる。分圧器１２４は演奏者により既知の方法で分圧器１２４に取り付けられかつギター胴体に取り付けられた別の制御つまみで操作可能である。それにより、演奏者はピックアップ１００と変換器１０２からの信号を別々に制御することができる（もちろん、演奏者以外の者も分圧器を操作でき、遠隔制御のような他の制御技術がこの発明の範囲内で実施可能である）。個別のチャンネル音量制御により特により高感度すなわち帰還現象を起こしやすい変換器にたいして潜在的な帰還現象問題が解消される。
【００４３】
図４に示されるスイッチ状態で、スイッチ素子１１４は極１０８と端子１１０を接続し、音量制御回路１１６と１２２は出力コネクタ１０４の同一出力チャンネルに接続されてピックアップと変換器のモノラル出力を提供する。このモノラル出力の特性は分圧器１１８と１２４を介して制御されるようなピックアップ信号と変換器信号の混合により決まる。他のスイッチ状態において、スイッチ素子１１４は極１０８を端子１１２と接続し、音量制御回路１１６は出力コネクタ１０４の他の出力チャンネルに接続され、音量制御回路１２２は出力コネクタ１０４に最初に言及した出力チャンネルに接続され、ピックアップおよび変換器のステレオ出力を提供する。ステレオ出力の２チャンネルはそれぞれ分圧器１１８と１２４を介して制御される。
【００４４】
図５を参照して、本発明のピックアップ装置の別の実施例が説明される。この実施例は同一参照番号で示すように図４に示されるものと同じ構成要件を含んでいる。図５の実施例の異なる態様では、異なる型のスイッチ１２８と参照番号１３０で示すように第三音量制御回路を含んでいる。しかしながら、依然として、制御可能な混合されたモノラル出力または分離して制御可能なチャンネルのステレオ出力は選択可能である。
【００４５】
スイッチ１２８は一対の極１３２と１３４を有する双極双投スイッチである。極１３２、１３４に付随しているのは２対の端子である。一方の端子対は端子１３６と１３８を含み、他方の端子対は端子１４０と１４２を含む。一群のスイッチ素子１４４、１４６は選択的に極を端子対の一方に接続する。
【００４６】
極１３２は図５の音量制御回路１１６に接続される。スイッチ素子１４４の設定により、極１３２は端子１３６または１４０につながる。端子１３６は図５の出力コネクタ１０４の一方の出力チャンネルに接続され、端子１４０は図５の音量制御回路の１２２の分圧器１２４の接触子に接続される。端子１４０は音量制御回路１３０の分圧器１４８の一端と容量１５０に接続される。音量制御回路は分圧器１４８の接触子を介して与えられる混合されたモノラル出力のためのモノラル主制御回路として機能するものである（混合音自身の特性は回路１１６、１２２を介して個別的に制御される）。分圧器１４８の接触子は図５の出力コネクタ１０４の他の出力チャンネルに接続される。
【００４７】
極１３４はピックアップ１００の接地リードにつながる。極１３４はさらにスイッチ素子１４６に設定により端子１３８または１４２に接続される。端子１３８は出力コネクタ１０４に接続される装置の接地につながる。端子１４２は図５の変換器１０２の接地リードにつながる。
【００４８】
図５に示されるスイッチ状態により、（１）ピックアップ１００から出力された電気信号が端子１３６を介して出力コネクタ１０４の独立した出力チャンネルにつながり、（２）変換器１０２からの出力は音量制御回路１２２と音量制御回路１３０を介して他のコネクタ１０４の独立した出力チャンネルに出力されるので、ステレオ音が提供される。
【００４９】
スイッチ素子１４４が極１３２と端子１４０を接続し、スイッチ素子１４６が極１３４と端子１４２を接続する他のスイッチ位置において、ピックアップ１００からの出力は分圧器１２４と１４８の接続部で変換器１０２からの出力と混合される。この混合された出力は主制御回路１３０を介して所望するように調整され、モノラル音を再生するために出力コネクタ１０４の出力チャンネルを介して供給される。
【００５０】
スイッチ素子１４６のどちらの位置でも、ピックアップ１００と変換器１０２の接地リードは図５で明らかなように装置の接地につながる。
【００５１】
本発明では、所望のモノラル混合音でまたは分離したステレオチャンネルを介して別々に制御されかつ出力可能な弦音と共鳴器により作られた音を有する弦共鳴器付楽器が得られる。分離制御により弦音と共鳴器に反応する音に対して個別に音色を操作することが可能であり、また帰還効果を減少させたり消滅させることが可能である。この分離制御を実行することにより音楽家（あるいはその他）は便利に制御できるので、変更が容易に素早く行われる。
【００５２】
このように、本発明は良好に適合させて、その目的を実行し、上述された目的および利点、ならびにこの発明に固有な目的および利点を達成することができる。本発明の好ましい実施例が開示のために述べられたが、当業者よって部品の構成および配置さらに各行程の動作を変更することが可能である。これらの変更は、添付された特許請求の範囲により定義されているように、本発明の思想内に包含されるものである。
【００５３】
【発明の効果】
以上説明したように、本発明によれば、新規で、改良された電気モノラル／ステレオ弦共鳴器付楽器を提供することができる。弦と共鳴器から発生する楽音／音色に応答し、電子的に増幅することができる。また、混合または分離した電気信号出力によりモノラルまたはステレオ音を発生させることができる。さらに、調整により、弦および共鳴器から出力される信号の各々は混合したモノラル出力において所望の混合を提供し、またはステレオ出力において分離制御された信号を提供することができる。
【図面の簡単な説明】
【図１】本発明の電気共鳴器付ギターの好ましい実施例の外形図である。
【図２】ドブロ（DOBRO（登録商標））型共鳴装置におけるクモ状部および振動板の斜視図である。
【図３】ナショナル（NATIONAL）型共鳴器装置のビスケット駒と振動板の立面図である。
【図４】本発明のピックアップ装置の一好ましい実施例の概略回路図である。
【図５】本発明のピックアップ装置の他の好ましい実施例の概略回路図である。
【符号の説明】
２    電気モノラル／ステレオ共鳴器付ギター
４    胴体部
６    首部
８    弦
１０  駒
１２  調律ネジ
１４  緒止板
１６  共鳴装置
１８  金属カバー
２２、４４  振動板
２４  クモ状部
２６  駒鞍部スロット
２８  支持縁
３０  傾斜壁
３２  中央円錐部
３４  中央ハブ
３６  脚部
３８、１０２  変換器
４０  ケーブル
４２  穴
４６  ビスケット駒台
４８  ネジ
１００  ピックアップ
１０４  出力コネクタ
１０６、１１４、１２８  スイッチ
１０８、１３２、１３４  極
１１０、１１２、１３６、１３８、１４０、１４２  端子
１１６、１２２、１３０  音量制御回路
１１８、１２４、１４８  分圧器
１２０、１２６、１５０  容量
１４４、１４６  スイッチ群
【図１】
0004173922.tif 000002
【図２】
0004173922.tif 000003
【図３】
0004173922.tif 000004
【図４】
0004173922.tif 000005
【図５】
0004173922.tif 000006